(57)【特許請求の範囲】
【請求項１】
対象（１０２）を映像化するための超小型電気機械（ＭＥＭＳ）ベース監視システム（１００）において、前記ＭＥＭＳベース監視システムが、
前記対象に関わる光（１２６）を受け取る、結像光学素子（１０４）、
前記結像光学素子から前記対象に関わる前記光を受け取る、超小型ミラーアレイ（１０６）、
前記超小型ミラーアレイから前記対象に関わる前記光の少なくとも一部（１２６ａ）を受け取る、１つ以上の波長選択型ビームスプリッタ（１０８，１１２，１１６）、及び
前記１つ以上の波長選択型ビームスプリッタから反射されたか、または前記波長選択型ビームスプリッタを通過した、前記対象に関わる前記光の前記少なくとも一部をそれぞれが受け取る、第１の光検出器及び第２の光検出器を含む、複数の光検出器（１１０，１１４，１１８，１２０）、
を備え、
前記第１の光検出器が、第１の波長帯域内にある、前記対象に関わる前記光の前記少なくとも一部に対して感度を有し、前記第２の光検出器が、第２の波長帯域内にある、前記対象に関わる前記光の前記少なくとも一部に対して感度を有する、
ことを特徴とするＭＥＭＳベース監視システム。
【請求項２】
前記超小型ミラーアレイのそれぞれのミラーの位置を、前記それぞれのミラーが前記対象に関わる前記光の一部を前記１つ以上の波長選択型ビームスプリッタ及び前記複数の光検出器に向かう方向にまたは前記１つ以上の波長選択型ビームスプリッタ及び前記複数の光検出器から離れる方向に向けるように、制御するように構成されたコントローラ（１２２）をさらに備え、
該コントローラは、
前記対象に関わる光の一部を前記１つ以上の波長選択型ビームスプリッタに向けるために、前記それぞれのミラーまたは部分アレイのミラーがオン状態になるよう順に選択し、
前記複数の光検出器における時間の関数として前記対象の映像を順に読みだすように、
構成されることを特徴とする請求項１に記載のＭＥＭＳベース監視システム。
【請求項３】
前記１つ以上の波長選択型ビームスプリッタ及び前記複数の光検出器から離れる方向に向けられた前記対象に関わる前記光の前記一部を受け取る、吸収性光ダンプ（１２４）をさらに備えることを特徴とする請求項２に記載のＭＥＭＳベース監視システム。
【請求項４】
前記複数の光検出器が、第３の波長帯域内にある、前記対象に関わる前記光の前記少なくとも一部に対して感度を有する第３の光検出器及び、第４の波長帯域内にある、前記対象に関わる前記光の前記少なくとも一部に対して感度を有する第４の光検出器をさらに含むことを特徴とする請求項１に記載のＭＥＭＳベース監視システム。
【請求項５】
前記第１の光検出器が遠赤外光波長帯域にある光に対して感度を有し、前記第２の光検出器が赤外光波長帯域にある光に対して感度を有し、前記第３の光検出器が近赤外光波長帯域にある光に対して感度を有し、前記第４の光検出器が可視光波長帯域にある光に対して感度を有することを特徴とする請求項４に記載のＭＥＭＳベース監視システム。
【請求項６】
対象（１０２）を映像化するために超小型電気機械（ＭＥＭＳ）ベース監視システム（１００）を用いるための方法において、前記方法が、
前記ＭＥＭＳベース監視システムを前記対象に向かう方向に向ける工程であって、
前記ＭＥＭＳベース監視システムは、
前記対象に関わる光（１２６）を受け取る、結像光学素子（１０４）、
前記結像光学素子から前記対象に関わる前記光を受け取る、超小型ミラーアレイ（１０６）、
前記超小型ミラーアレイから前記対象に関わる前記光の少なくとも一部（１２６ａ）を受け取る、１つ以上の波長選択型ビームスプリッタ（１０８，１１２，１１６）、及び
前記１つ以上の波長選択型ビームスプリッタから反射されたか、または前記波長選択型ビームスプリッタを通過した、前記対象に関わる前記光の前記少なくとも一部をそれぞれが受け取る、第１の光検出器及び第２の光検出器を含む、複数の光検出器（１１０，１１４，１１８，１２０）、
を備え、
前記第１の光検出器は、第１の波長帯域内にある、前記対象に関わる前記光の前記少なくとも一部に対して感度を有し、前記第２の光検出器は、第２の波長帯域内にある、前記対象に関わる前記光の前記少なくとも一部に対して感度を有する、ものである工程、
及び
前記複数の光検出器の内の１つ以上を用いて前記対象の１つ以上の映像を得る工程、
を含むことを特徴とする方法。
【請求項７】
前記超小型ミラーアレイのそれぞれのミラーの位置を、前記それぞれのミラーが前記対象に関わる前記光の一部を前記１つ以上の波長選択型ビームスプリッタ及び前記複数の光検出器に向かう方向にまたは前記１つ以上の波長選択型ビームスプリッタ及び前記複数の光検出器から離れる方向に向けるように、制御する工程と、
前記対象に関わる光の一部を前記１つ以上の波長選択型ビームスプリッタに向けるために、前記それぞれのミラーまたは部分アレイのミラーがオン状態になるよう順に選択する工程と、
前記複数の光検出器における時間の関数として前記対象の映像を順に読み出す工程と、をさらに含むことを特徴とする請求項６に記載の方法。
【請求項８】
前記ＭＥＭＳベース監視システムが、前記１つ以上の波長選択型ビームスプリッタ及び前記複数の光検出器から離れる方向に向けられた前記対象に関わる前記光の前記一部を受け取る、吸収性光ダンプ（１２４）をさらに備えることを特徴とする請求項７に記載の方法。
【請求項９】
前記複数の光検出器が、第３の波長帯域内にある、前記対象に関わる前記光の前記少なくとも一部に対して感度を有する第３の光検出器及び、第４の波長帯域内にある、前記対象に関わる前記光の前記少なくとも一部に対して感度を有する第４の光検出器をさらに含むことを特徴とする請求項６に記載の方法。
【請求項１０】
前記第１の光検出器が遠赤外光波長帯域にある光に対して感度を有し、前記第２の光検出器が赤外光波長帯域にある光に対して感度を有し、前記第３の光検出器が近赤外光波長帯域にある光に対して感度を有し、前記第４の光検出器が可視光波長帯域にある光に対して感度を有することを特徴とする請求項９に記載の方法。
【発明の詳細な説明】
【関連出願の説明】
【０００１】
本出願は２０１０年８月３１日に出願された米国仮特許出願第６１/３７８６６９号の米国特許法第１１９条の下の優先権の恩典を主張する。本明細書はこの特許出願の明細書の内容に依存し、その内容はその全体が本明細書に参照として含められる。
【技術分野】
【０００２】
本発明は全般には監視システムに関し、特に、超小型電気機械（ＭＥＭＳ）ベース監視システム及びＭＥＭＳベース監視システムを用いるための方法に関する。
【背景技術】
【０００３】
今では可視光からの映像を記録するための電子カメラを入手できる。同様に、今では、近赤外（ＩＲ）光、ＩＲ光または遠ＩＲ光からの映像を記録するための電子カメラも入手できる。しかし、可視光、近ＩＲ光、ＩＲ光及び遠ＩＲ光の全波長領域からの映像を記録できる電子カメラは今は入手できない。したがって、可視光波長及びＩＲ光波長のいずれにおいても映像を記録する、現在利用できる監視システムでは２つ以上のカメラを用いる必要がある。現在利用できる監視システムには、可視光波長及びＩＲ光波長のいずれにおいても映像を記録するため、複数のカメラが必要であることが望ましくないことは当然である。
【発明の概要】
【発明が解決しようとする課題】
【０００４】
したがって、現在利用できる監視システムにともなう上記欠点及びその他の欠点を克服する新規な監視システムが必要とされている。この必要及びその他の必要は本発明によって満たされる。
【課題を解決するための手段】
【０００５】
ＭＥＭＳベース監視システム及びＭＥＭＳベース監視システムを用いるための方法は、本出願の独立特許請求項に述べられている。ＭＥＭＳベース監視システム及びＭＥＭＳベース監視システムを用いるための方法の有利な実施形態は、従属特許請求項に述べられている。
【０００６】
一態様において、本発明は対象を映像化するためのＭＥＭＳベース監視システムを提供する。一実施形態において、本ＭＥＭＳベース監視システムは、
（ａ）対象に関わる光を受け取る結像光学素子、
（ｂ）結像光学素子から対象に関わる光を受け取る超小型ミラーアレイ、
（ｃ）超小型ミラーアレイから対象に関わる光の少なくとも一部を受け取る１つ以上の波長選択型ビームスプリッタ、及び
（ｄ）１つ以上の波長選択型ビームスプリッタから反射されたかまたは１つ以上の波長選択型ビームスプリッタを通過した、対象に関わる光の少なくとも一部をそれぞれが受け取る、第１の光検出器及び第２の光検出器を含む、複数の光検出器、
を備え、
第１の光検出器は、第１の波長帯域内にある、対象に関わる光の少なくとも一部に感度を有し、第２の光検出器は、第２の波長帯域内にある、対象に関わる光の少なくとも一部に感度を有する。
【０００７】
別の態様において、本発明は対象を映像化するためにＭＥＭＳベース監視システムを用いるための方法を提供する。一実施形態において、本方法は、
（ａ）ＭＥＭＳベース監視システムを対象に向かう方向に向ける工程であって、
前記ＭＥＭＳベース監視システムは、
（ｉ）対象に関わる光を受け取る結像光学素子、
（ii）結像光学素子から対象に関わる光を受け取る超小型ミラーアレイ、
（iii）超小型ミラーアレイから対象に関わる光の少なくとも一部を受け取る１つ以上の波長選択型ビームスプリッタ、及び
（iv）１つ以上の波長選択型ビームスプリッタから反射されたかまたは１つ以上の波長選択型ビームスプリッタを通過した、対象に関わる光の少なくとも一部をそれぞれが受け取る、第１の光検出器及び第２の光検出器を含む、複数の光検出器、
を備え、
第１の光検出器は、第１の波長帯域内にある、対象に関わる光の少なくとも一部に感度を有し、第２の光検出器は、第２の波長帯域内にある、対象に関わる光の少なくとも一部に感度を有するものである工程、
及び
（ｂ）複数の光検出器の内の１つ以上を用いて対象の１つ以上の映像を得る工程、
を含む。
【０００８】
また別の態様において、本発明は対象を映像化するためのＭＥＭＳベース監視システムを提供する。一実施形態において、本ＭＥＭＳベース監視システムは、
（ａ）対象に関わる光を受け取る結像光学素子、
（ｂ）結像光学素子から対象に関わる光を受け取る超小型ミラーアレイ、
（ｃ）超小型ミラーアレイから対象に関わる光の少なくとも一部を受け取る第１の波長選択型ビームスプリッタ、
（ｄ）第１の波長選択型ビームスプリッタから反射された対象に関わる光の少なくとも一部を受け取る第１の光検出器であって、第１の波長帯域内にある、対象に関わる光の少なくとも一部に感度を有する第１の光検出器、
（ｅ）第１の波長選択型ビームスプリッタを通過した対象に関わる光の少なくとも一部を受け取る第２の波長選択型ビームスプリッタ、
（ｆ）第２の波長選択型ビームスプリッタから反射された対象に関わる光の少なくとも一部を受け取る第２の光検出器であって、第２の波長帯域内にある、対象に関わる光の少なくとも一部に感度を有する第２の光検出器、
（ｇ）第２の波長選択型ビームスプリッタを通過した対象に関わる光の少なくとも一部を受け取る第３の波長選択型ビームスプリッタ、
（ｈ）第３の波長選択型ビームスプリッタから反射された対象に関わる光の少なくとも一部を受け取る第３の光検出器であって、第３の波長帯域内にある、対象に関わる光の少なくとも一部に感度を有する第３の光検出器、
及び
（ｉ）第３の波長選択型ビームスプリッタを通過した対象に関わる光の少なくとも一部を受け取る第４の光検出器であって、第４の波長帯域内にある、対象に関わる光の少なくとも一部に感度を有する第４の光検出器、
を備える。
【０００９】
本発明のさらなる態様は、ある程度は、以下の詳細な説明、図面及びいずれかの特許請求項に述べられ、ある程度はその詳細な説明から導かれるであろうし、あるいは本発明の実施によって習得され得る。前述の全般的説明及び以下の詳細な説明が例示及び説明のために過ぎず、開示される本発明を限定するものでないことは当然である。
【００１０】
添付図面とともになされれば、以下の詳細な説明を参照することで本発明のさらに完璧な理解を得ることができる。
【図面の簡単な説明】
【００１１】
【図１】図１は本発明の一実施形態にしたがう一例のＭＥＭＳベース監視システムの基本コンポーネントを示すブロック図である。
【図２】図２は、本発明の一実施形態にしたがう、対象の部分区画を映像化するためにＭＥＭＳベース監視システムがどのようにして制御され得るかの一例の説明の補助に用いられる信号図である。
【図３】図３は、本発明の一実施形態にしたがう、対象の部分区画を映像化するためにＭＥＭＳベース監視システムがどのようにして制御され得るかの別の例の説明の補助に用いられる信号図である。
【発明を実施するための形態】
【００１２】
図１を参照すれば、本発明の一実施形態にしたがう、対象１０２を映像化するように構成された一例のＭＥＭＳベース監視システム１００の基本コンポーネントをブロック図が示している。一例のＭＥＭＳベース監視システム１００は、結像光学素子１０４，超小型ミラーアレイ１０６，集光レンズ１０７，第１の波長選択型ビームスプリッタ１０８，第１の光検出器１１０，第２の波長選択型ビームスプリッタ１１２，第２の光検出器１１４，第３の波長選択型ビームスプリッタ１１６，第３の光検出器１１８，第４の光検出器１２０，コントローラ１２２及び吸収性ダンプ１２４を備える。ＭＥＭＳベース監視システム１００には、その全てが同業者には既知の多くの他のコンポーネントが組み込まれているが、明解さのため、本発明の説明に必要なコンポーネント１０４，１０６，１０７，１０８，１１０，１１２，１１４，１１６，１１８，１２０，１２２及び１２４だけが図示され、本明細書で論じられる。
【００１３】
一例のＭＥＭＳベース監視システム１００は、対象１０２に関わる光１２６を受け取るために機能する結像光学素子１０４（例えば凸レンズ１０４）を備える。超小型ミラーアレイ１０６（例えば、テキサスインスツルメント社のＤＬＰ（登録商標）ミラーアレイ１０６）は対象１０２に関わる光１２６を結像光学素子１０４から受け取るために機能する。超小型ミラーアレイ１０６は結像光学素子１０４の焦平面に配置されるであろう。集光レンズ１０７（例えば凸レンズ１０７）は超小型ミラーアレイ１０６から反射された光の少なくとも一部１２６ａを集光するために機能する。第１の波長選択型ビームスプリッタ１０８（例えば第１のダイクロイックビームスプリッタミラー１０８）は、超小型ミラーアレイ１０６から反射されて集光レンズ１０７を通過した、対象１０２に関わる光の少なくとも一部１２６ａを受け取るために機能する（注：集光レンズ１０７は必要に応じて用いられる）。第１の光検出器１１０は、第１の波長選択型ビームスプリッタ１０８から反射された、対象１０２に関わる光１２６ａを受け取るために機能する。第１の光検出器１１０は第１の波長帯域内の光１２６ａに感度を有する。本例において、超小型ミラーアレイ１０６から反射された光１２６ａは０.４μｍ〜１２.０μｍの波長を有する。第１の波長選択型ビームスプリッタ１０８は７μｍ〜１２μｍの波長帯域にある光１２６ａを反射して０.４μｍ〜７.０μｍの波長帯域にある光１２６ａを透過させ、第１の光検出器１１０は４μｍ〜１２μｍの遠赤外波長帯域にある光１２６ａに感度を有する。
【００１４】
第２の波長選択型ビームスプリッタ１１２（例えば第２のダイクロイックビームスプリッタミラー１１２）は、第１の波長選択型ビームスプリッタ１０８を通過した、対象１０２に関わる光１２６ａを受け取るために機能する。第２の光検出器１１４は、第２の波長選択型ビームスプリッタ１１２から反射された、対象１０２に関わる光１２６ａを受け取るために機能する。第２の光検出器１１４は第２の波長帯域内の光１２６ａに感度を有する。本例において、第２の波長選択型ビームスプリッタ１１２は３.０μｍ〜５.０μｍの波長帯域にある光１２６ａを反射して０.４μｍ〜５.５μｍの波長帯域にある光１２６ａを透過させ、第２の光検出器１１４は３.０μｍ〜５.０μｍの赤外波長帯域にある光１２６ａに感度を有する。
【００１５】
第３の波長選択型ビームスプリッタ１１６（例えば第３のダイクロイックビームスプリッタミラー１１６）は、第２の波長選択型ビームスプリッタ１１２を通過した、対象１０２に関わる光１２６ａを受け取るために機能する。第３の光検出器１１８は、第３の波長選択型ビームスプリッタ１１６から反射された、対象１０２に関わる光１２６ａを受け取るために機能する。第３の光検出器１１８は第３の波長帯域内の光１２６ａに感度を有する。本例において、第３の波長選択型ビームスプリッタ１１６は１.０μｍ〜２.５μｍの波長帯域にある光１２６ａを反射して０.４μｍ〜１.０μｍの波長帯域にある光１２６ａを透過させ、第３の光検出器１１８は１.０μｍ〜２.５μｍの赤外波長帯域にある光１２６ａに感度を有する。第４の光検出器１２０は、第３の波長選択型ビームスプリッタ１１６を通過した、対象１０２に関わる光１２６ａを受け取るために機能する。第４の光検出器１２０は第４の波長帯域内の光１２６ａに感度を有する。本例において、第４の光検出器１２０は０.４μｍ〜１.０μｍの可視波長帯域にある光１２６ａに感度を有する。
【００１６】
コントローラ１２２はプロセッサ１３０及び、実行可能なプログラムが格納されている、一時的でないコンピュータ読出可能記憶媒体１３２を備え、実行可能なプログラムは、超小型ミラーアレイ１０２のそれぞれのミラー１，２，３，４（４つのミラーしか図示されていない）の位置を、それぞれのミラー１，２，３，４が対象１０２に関わる光１２６の一部を第１の波長選択型ビームスプリッタ１０８に向けるか、または第１の波長選択型ビームスプリッタ１０８から離して吸収性光ダンプ１２４に向けるように、制御するようにプロセッサ１３０に命令する。吸収性光ダンプ１２４は監視システム１００からの戻り信号を低減し、よって監視下にある対象による監視システム１００の逆探知の可能性を低めるために機能する。別の実施形態において、コントローラ１２２はそれぞれのミラー１，２，３，４の位置を、３つの状態、
（１）結像光学素子１０４の平面に平行な（電力オフ）状態、
（２）結像光学素子１０４の面に対し、第１の波長選択型ビームスプリッタ１０８に向けて１２°傾けられた（ピクセルオン）状態、及び
（３）結像光学素子１０４の面に対し、吸収性光ダンプ１２４に向けて１２°傾けられた（ピクセルオフ）状態、
のいずれか１つにあるように制御することができる。本例において、コントローラ１２２はＭＥＭＳベース監視システム１００内に組み込まれて示されるが、望ましければ、遠隔に配置し、有線接続または無線接続を介してＭＥＭＳベース監視システム１０に接続しておくこともできるであろう。
【００１７】
一事例において、コントローラ１２２は、光検出器１１０，１１４，１１８及び１２０における時間の関数として映像が読み出されるであろうように、それぞれのミラー１，２，３，４の位置を、行にかけ、次いで列にかけて、一度に１つがオン状態になるように制御することができる。別の事例において、コントローラ１２２は超小型ミラーアレイ１０６のミラー１，２，３，４に個々にアドレスすることができるから、対象１０２の全域を常時フル解像度で読み出す必要はない。例えば、対象１０２の全体を視るに必要なデータ帯域幅を低減するためにＭ×Ｎの部分ミラーアレイを読み出すことができるであろう。これは、対象１０２を遠隔で視ることができるような長距離にわたるデータ送信に有益である。より高い空間解像度が望まれる場合、映像の細部を「ズームアップ」することができ、部分アレイＮを１に向けて減じることができる。また別の事例において、対象１０２の部分区画だけに関心があれば、アレイ全体、すなわちミラー１，２，３，４にアドレスする必要はなく、データ送信帯域幅を節約することができる。さらに、視野の中心周辺だけでなく、対象１０２のいずれの部分区画または部分区画の組合せも、映像化することができる。対象１０２の部分区画の映像を得るためにコントローラ１２２が超小型ミラーアレイにおけるミラー１，２，３，４の個々の位置をどのように制御できるかの２つの例が図２〜３に関して以下に与えられる。
【００１８】
図２を参照すれば、本発明の一実施形態にしたがう、対象１０２の部分区画Ａを映像化するためにＭＥＭＳベース監視システム１００がどのようにして制御され得るかの一例の説明の補助に用いられる信号図２００が示されている。本例において、対象１０２は、それぞれの全てが超小型ミラーアレイ１０６上に結像される部分区画Ａ，Ｂ，Ｃ，Ｄを有し、信号図２００は信号出力を表すｙ軸及び時間を表すｘ軸を有する。初めに、コントローラ１２２は、光検出器１１０，１１４，１１８及び１２０がそれぞれ対象１０２の区画Ａ及びＢを映像化するように、ミラー１及び２を選択してオン状態にする。次に、コントローラ１２２は、光検出器１１０，１１４，１１８及び１２０がそれぞれ対象１０２の区画Ａ及びＣを映像化するように、ミラー１及び３を選択してオン状態にする。次いで、コントローラ１２２は、光検出器１１０，１１４，１１８及び１２０がそれぞれ対象１０２の区画Ｂ及びＤを映像化するように、ミラー２及び４を選択してオン状態にする。その後、コントローラ１２２は、光検出器１１０，１１４，１１８及び１２０がそれぞれ対象１０２の区画Ｂ及びＣを映像化するように、ミラー２及び３を選択してオン状態にする。最後に、対象１０２の部分区画Ａの４つの異なる映像を、（Ａ＋Ｂ）＋（Ａ＋Ｃ）−（Ｂ＋Ｃ）として抽出することができる。
【００１９】
図３を参照すれば、本発明の一実施形態にしたがう、対象１０２の部分区画Ａを映像化するためにＭＥＭＳベース監視システム１００がどのようにして制御され得るかの別の例の説明の補助に用いられる信号図３００が示されている。本例において、対象１０２は、それぞれの全てが超小型ミラーアレイ１０６上に結像される部分区画Ａ，Ｂ，Ｃ，Ｄを有し、信号図３００は信号出力を表すｙ軸及び時間を表すｘ軸を有する。初めに、コントローラ１２２は、光検出器１１０，１１４，１１８及び１２０がそれぞれ対象１０２の区画Ａ，Ｂ，Ｃ及びＤを映像化するように、ミラー１，２，３及び４を選択してオン状態にする。次に、コントローラ１２２は、光検出器１１０，１１４，１１８及び１２０がそれぞれ対象１０２の区画Ｂ，Ｃ及びＤを映像化するように、ミラー２，３及び４を選択してオン状態にする。最後に、対象１０２の部分区画Ａの４つの異なる映像を、（Ａ＋Ｂ＋Ｃ＋Ｄ）−（Ｂ＋Ｃ＋Ｄ）として抽出することができる。対象１０２の部分区画Ａ，Ｂ，Ｃ，Ｄの内の１つ以上を映像化するために超小型ミラーアレイ１０６のミラー１，２，３，４にコントローラ１２２が個々にアドレスすることができる、多くの可能な仕方があることは当然である。
【００２０】
上述したことから、当業者であれば、本発明のＭＥＭＳベース監視システムが、可視光波長及びＩＲ光波長のいずれでも映像を記録するために２つ以上のカメラを用いることが必要な現在利用できる監視システムに優る、顕著な改善であることを理解するであろう。本明細書に説明されるＭＥＭＳベース監視システム１００は、可視光波長帯域、近ＩＲ光波長帯域、ＩＲ光波長帯域及び遠ＩＲ光波長帯域における対象１０２の４つの異なる映像を得るために用いられる４つの光検出器１１０，１１４，１１８及び１２０を組み込んでいるが、ＭＥＭＳベース監視システム１００に、２つ以上の異なる波長帯域における対象１０２の２つ以上の映像を得るために、いかなる数の波長選択型ビームスプリッタ及び光検出器も組み込まれ得るであろうことは当然である。例えば、ＭＥＭＳベース監視システム１００は、
（ａ）対象１０２に関わる光１２６を受け取る結像光学素子１０４、
（ｂ）結像光学素子１０４から対象１０２に関わる光１２６を受け取る超小型ミラーアレイ１０６、
（ｃ）集光レンズ１０７（必要に応じる）、
（ｄ）集光レンズ１０７を通過した、超小型ミラーアレイ１０６からの対象１０２に関わる光の少なくとも一部１２６ａを受け取る第１の波長選択型ビームスプリッタ１０８、及び
（ｅ）第１の光検出器１１０及び第２の光検出器１１４、
を備え、
第１の光検出器１１０が第１の波長選択型ビームスプリッタ１０６から反射された対象１０２に関わる光１２６ａを受け取り、第２の光検出器１１４が第１の波長選択型ビームスプリッタ１０６を通過した対象１０２に関わる光１２６ａを受け取る、
ことができるであろう。したがって、ＭＥＭＳベース監視システム１００は限定された態様で解されるべきではない。
【００２１】
さらに、本発明はＭＥＭＳベース監視システム１００を用いて対象１０２を映像化するための方法を提供する。一実施形態において、本方法は、
（ａ）ＭＥＭＳベース監視システム１００を対象１０２に向かう方向に向ける工程であって、
前記ＭＥＭＳベース監視システム１００は、
（ｉ）対象１０２に関わる光１２６を受け取る結像光学素子１０４、
（ii）結像光学素子１０４から対象１０２に関わる光１２６を受け取る超小型ミラーアレイ１０６、
（iii）超小型ミラーアレイ１０６から対象１０２に関わる光１２６ａの少なくとも一部を受け取る１つ以上の波長選択型ビームスプリッタ１０８，１１２及び１１６，及び
（iv）１つ以上の波長選択型ビームスプリッタ１０８，１１２及び１１６から反射されたかまたは１つ以上の波長選択型ビームスプリッタ１０８，１１２及び１１６を通過した、対象１０２に関わる光の少なくとも一部１２６ａをそれぞれが受け取る、複数の光検出器１１０，１１４，１１８及び１２０、
を備えるものである工程、
及び
（ｂ）１つ以上の光検出器（例えば）１１０及び１１４を用いて対象１０２の１つ以上の映像を得る工程、
を含む。望ましければ、本方法は超小型ミラーアレイ１０６のそれぞれのミラー１，２，３，４の位置を、それぞれのミラー１，２，３，４が波長選択型ビームスプリッタ１０８，１１２及び１１６並びに光検出器１１０，１１４，１１８及び１２０に対象１０２に関わる光の一部１２６ａを向けるか、または波長選択型ビームスプリッタ１０８，１１２及び１１６並びに光検出器１１０，１１４，１１８及び１２０から離すように、制御するためにコントローラ１２２を用いる工程を含むことができる。
【００２２】
さらに、本発明のＭＥＭＳベース監視システム１００及びＭＥＭＳベース監視システム１００を用いるための方法は、従来技術に優るいくつかの技術的及び商業的な利点（例えば、コスト節減、品質向上、利益、向上した性能／属性）を提供する。利点のいくつかの例を列挙すると、
・最先端の赤外フォーカルプレーンアレイ（ＦＰＡ）カメラより高い空間解像度による監視、
・最先端の赤外ＦＰＡカメラよりかなり低コストの赤外波長における監視、
・単一のカメラによる０.３５μｍ〜２０μｍの波長帯域における監視、
・異なる波長帯域における映像の重ね合わせが正確な監視、
・一波長帯域において光を１００％用いることにより高感度を達成する監視、
・高感度を得るために量子効率が高い複数の検出器１１０，１１４，１１８及び１２０を用いることができる監視、
・冷却要件が最小限で背景雑音が低い小型検出器１１０，１１４，１１８及び１２０を用いる監視、
・ハイパースペクトラルイメージングのためのインラインスペクトル分離をもつ監視、
・データ送信帯域幅を狭めるためにミラーの部分アレイを調和配置できる能力、
・機械的ズーム機構を用いずに対象１０２の部分区画に「ズームイン」できる能力、
・狭データ送信帯域幅を維持しながら、対象１０２の部分区画に「ズームイン」できる能力、
・ジンバル形パン機構を用いずに対象１０２のオフアクシス部分区画に「ズームイン」できる能力、
・オフピクセルから光吸収性ダンプ１２４に光を振り向けて探知可能性を低めることができる能力、
・アダマール変換の態様における加算及び減算だけを用いる映像の再構成を用いることができる能力、
・データの加算及び減算だけを用いて、モーション検出、エッジ強調及びその他の映像強調を実施できる能力、
である。
【００２３】
別の実施形態の１つにおいて、ピクセルの半分が光を一組の検出器Ａに向け、ピクセルの半分が光を第２の組の検出器Ｂに向けているであろう。ピクセルの組合せは、映像再構成の目的のため、二次元アダマール変換の態様において時間の経過とともに変わり得るであろう。この態様においては、映像からの光の全てが常時集められる。二組の検出器からの信号はコヒーレントであり、よって差信号は一組の検出器からの差信号の２倍である。二組の検出器からの検出器雑音は非コヒーレントである。第２の組の検出器が寄与する雑音は総雑音を√２倍に高める。
【００２４】
本発明の一実施形態を添付図面に示し、上記の詳細な説明に述べたが、本発明が開示された実施形態に限定されず、添付される特許請求の範囲に述べられ、定められるような本発明を逸脱することなく数多くの再構成、改変及び置換がなされ得ることは当然である。本明細書に用いられる「本発明」または「発明」への言及が実施形態例に関し、添付される特許請求の範囲によって包含される全ての実施形態には必ずしも関していないことにも注意すべきである。
【符号の説明】
【００２５】
１００    ＭＥＭＳベース監視システム
１０２    対象
１０４    結像光学素子
１０６    超小型ミラーアレイ
１０８，１１２，１１６    波長選択型ビームスプリッタ
１１０，１１４，１１８，１２０    光検出器
１２２    コントローラ
１２４    吸収性ダンプ
１２６，１２６ａ    光
１３０    プロセッサ
１３２    一時的でないコンピュータ読出可能記憶媒体
【図１】
0005860881.tif 000002
【図２】
0005860881.tif 000003
【図３】
0005860881.tif 000004